(57)【要約】【課題】イカを挟む事で、確実にイカを捕獲するヤエンを提供する。【解決手段】本体１０は掛針１４と釣糸ガイド１８、２０を有した支杆１７、１９と副杆ガイド１６を有する支杆１５を有した主杆１１と、掛針１３と副杆フック２３と伸縮機構２５を有した副杆１２を、互いに針先を向かい合わせ、閉じるようにして後端側を結束したヤエンで、副杆１２を上に開き、副杆フック２３を副杆ガイド１６に取付ける。掛針１３がイカに掛り、さらにイカが逃れることで、副杆フック２３が外れ副杆１２が元に戻ろうとする働きを利用して、さらに下から掛針１４でイカを挟む事で、確実にイカを捕獲する事が出来る構造にした。【選択図】図１
2007044019.tif 000002
【特許請求の範囲】
【請求項１】
釣糸に摺動自在に係合され、釣糸に沿って海中に誘導されるイカ釣用ヤエンであって、細長棒状の先端に掛針を有した、主杆と副杆を、互いに針先を向かい合わせ、後端側を結束し、後端に重錘を設け、主杆に上記釣糸に係合する釣糸ガイドを有する支杆と副杆ガイドを有する支杆を設け、副杆に副杆フックと、伸縮機構を設けたことを特徴とするイカ釣用ヤエン。
【請求項２】
請求項１記載のイカ釣用ヤエンにおいて、副杆ガイドを前支杆の釣糸ガイド上部に設けたことを特徴とするイカ釣用ヤエン。
【請求項３】
請求項１または２記載のイカ釣用ヤエンにおいて、副杆フック上部に副杆フックスライドガイドを設けたことを特徴とするイカ釣用ヤエン。
【請求項４】
請求項１または２または３記載のイカ釣用ヤエンにおいて、副杆フックに掛り調整止め具を取付けた事を特徴とするイカ釣用ヤエン。
【発明の詳細な説明】
【技術分野】
【０００１】  本発明は、イカ釣用に使用されるヤエン仕掛に関するものである。
【背景技術】
【０００２】  イカ釣りには従来からヤエンと呼ばれる仕掛が使用されている。
ヤエン１の構造は、図１３に示すように、１本の本体の先端に掛針５を備え、後端に重錘９を備え、基端側には釣糸４に係合するための釣糸ガイド７、８が設けられている。
釣糸先端に餌魚３を取付け海中に放ち、イカ２が餌魚３を捕えた所で、釣糸ガイド７、８に釣糸４を通し、ヤエン１を釣糸４に伝って滑らせ、イカ２の下に降下させ、進行停止時の当りでもって、釣り人は竿を煽る等の動作を行ない、ヤエン１を上下に動かし、イカ２に掛針５を下から掛けて釣り上げていた。
【発明の開示】
【発明が解決しようとする課題】
【０００３】  しかしヤエン１が餌魚３に到達した時の反動や、釣り人が無理に針掛かりさせようと釣糸４を強く引く等の不自然な動きを察知したイカ２は、餌魚３を離して逃げることがあり、釣り上げるには熟練した技術を必要とした。【０００４】  また、作動部を備え、ヤエンが餌魚に到達した反動で作動し、掛針を下から跳ね上げてイカを捕獲するヤエン（例えば、特許文献１参照。）や、イカを上下の掛針で挟んで捕獲するヤエン（例えば、特許文献２参照。）が知られている。
しかしながら、ヤエンの進行方向とは逆の力が加わった時に作動部が動くため、作動部の動きを円滑にすると、水面進入時に海水の抵抗を受け、誤作動することがあった。
また、反対に動きを鈍くすると、餌魚に到達しても作動せず、釣人が作動させようと釣糸を強く引くと、不自然な動きを察知したイカは、餌魚を離して逃げることがあった。
これらのヤエンは、作動部の動きの調整が難しかった。
【特許文献１】  特開２００１−１１２３７９号公報
【特許文献２】  特開２００１−２３１４０６号公報
【０００５】  そこで、本発明は従来のヤエンに、上から掛ける掛針と伸縮機構を備えた副杆を追加する事でイカを挟んで、より確実にイカを捕獲する事ができるヤエンを提供することにある。
【課題を解決するための手段】
【０００６】  本発明は上記の課題を、従来のヤエンに上から掛ける掛針と、伸縮機構を備えた副杆を追加する事で、イカを挟んで捕獲し、上記目的が達成できると考えた。【０００７】  この発明のヤエンは、釣糸に摺動自在に係合され、釣糸に沿って海中に誘導されるイカ釣用ヤエンであって、細長棒状の先端に掛針を有した、主杆と副杆を、互いに針先を向かい合わせ、閉じるようにして後端側を結束し、後端に重錘を設け、主杆に上記釣糸に係合する釣糸ガイドを有する支杆と副杆ガイドを有する支杆を設け、副杆に副杆フックと、伸縮機構を設けたことを特徴とするイカ釣用ヤエン。【０００８】  上記ヤエンを、主杆と副杆の結束部を支点に開き、副杆フックを副杆ガイドに取付けて、主杆と副杆が開いた状態でセットし、イカが餌魚を捕えた所で、釣糸ガイドに釣糸をセットし、ヤエンを釣糸に沿って海中に誘導させ餌魚まで送り込み、水平に泳いでいるイカに、斜め上から進行してきたヤエンの副杆の掛針が上からイカに掛る。
さらにイカが驚いて前方に逃れようとすることで、副杆前部が引かれ、前方にスライドして、副杆フックが外れ、副杆が元に戻ろうとする働きを利用して、さらに下から主杆の掛針に針掛りさせて、イカを挟む事で、確実にイカを捕獲する事を特徴とする。【０００９】  副杆フックはヤエンの進行方向と同じ方向に副杆が引かれた時に外れるため、水面進入時の海水の抵抗では外れないので、作動部の動きを円滑にする事ができる。
また、イカが驚いて前方に逃げる事により、副杆フックが外れる（通称、向こう合わせ）ので、釣人はヤエンをイカまで送り込むだけでよく、熟練した技術を必要とせず、初心者でも釣ることができる。【００１０】  請求項２の発明は、請求項１記載のイカ釣用ヤエンにおいて、前支杆の釣糸ガイド上部に副杆ガイドを設け、釣糸ガイドと副杆ガイドを一体にしたことを特徴とする。【００１１】  請求項３の発明は、請求項１または２記載のイカ釣用ヤエンにおいて、副杆フックの末端を上に曲げて伸ばし、副杆ガイドを貫通させた副杆フックスライドガイドを設けたことを特徴とする。
副杆フックスライドガイドの末端を丸く曲げる事により、副杆ガイドからの脱落防止および、手で掴みやすくなるため、副杆フックのセットが簡単にでき、さらに副杆フックが外れ副杆が開放状態の時に、掛針の左右の振れを防ぐ事ができる。【００１２】  請求項４の発明は、請求項１または２または３記載のイカ釣用ヤエンにおいて、副杆フックに掛り調整止め具を取付けた事を特徴とする。
副杆フックに掛け調整止め具を取付ける事により、副杆ガイドの前方への脱落を防止する事が出来る。
【発明の効果】
【００１３】  本発明は従来のヤエンに、上から掛ける掛針と伸縮機構を備えた副杆を追加する事で、イカを挟んで、より確実にイカを捕獲する事ができる、ヤエンを提供することにある。
【発明を実施するための最良の形態】
【００１４】  図１は、本発明の実施形態に係るヤエン１０の副杆フック取付け状態の斜視図である。
本体１０は掛針１４を有した主杆１１と掛針１３を有した副杆１２を、互いに針先を向かい合わせ、閉じるようにして後端側を結束し、後部に釣糸ガイド２０を有した後支杆１９を設け、後端側に重錘２１を設け、主杆１１には釣糸ガイド１８を有した前支杆１７と副杆ガイド１６を有する副杆ガイド支杆１５を設ける。
副杆ガイド支杆１５の位置はこの図では前支杆１７の前に取付けているが後でもよい。
副杆１２に副杆フック２３と、伸縮機構２５を設ける。
主杆１１と副杆１２は開放状態では、図２に示すように閉じ、後部をハンダあるいは溶接または金属バンド等で強く結束する。【００１５】  副杆１２は副杆前部１２ａと副杆後部１２ｂで構成する事も出来る。
副杆前部１２ａの基端部を上に曲げ、さらに横に曲げて副杆フック２３を設け、さらに上に曲げて副杆フックスライドガイド２４とする。【００１６】  副杆前部１２ａと副杆後部１２ｂは伸縮機構２５で前後に円滑にスライドする。
伸縮機構２５は副杆フック２３より後方ならどの位置に取付けてもかまわない。
その場合、副杆１２と副杆フック２３は別体とし、ハンダ等で副杆１２に取付ける。【００１７】  副杆１２の掛針１３は、鋭い針掛りを重視するため、細くて針先の鋭い掛針が好ましい。
主杆１１の掛針１４は、獲物を確実に捕えるため、強度が強く、カエリ付きの掛針が好ましい。
この図では掛針は主杆が２列３本針、副杆が２列１本針になっているが、掛針の数および列は、これより多くても少なくてもよい。
また、主杆や副杆を二股や二本にして取付けることもできる。【００１８】  図３は本発明の実施形態に係るヤエン１０の副杆フック２３取付け状態の側面図である。
図４は本発明の実施形態に係るヤエン１０の副杆フック２３開放状態の側面図である。
図４の状態から、副杆フックスライドガイド２４を引き上げ、主杆１１と副杆１２が開いた状態にして副杆フック２３を副杆ガイド１６に取付けて図３のようにセットする。【００１９】  図５はヤエン１０がイカ２６に到達しイカ２６に副杆１２の掛針１３が掛った図である。
図６は掛針１３に掛ったイカ２６が驚いて前方に逃げる事により、副杆前部１２ａが前方にスライドし、副杆ガイド２３が外れ副杆１２が開放状態になった図である。
図７は主杆１１の掛針１４と副杆１２の掛針１３でイカ２６を挟んで捕えた時の図である。【００２０】  釣糸２８に餌魚２７を付けて泳がせ、イカ２６が餌魚２７を捕えた所で、副杆フックスライドガイド２４を引き上げて、主杆１１と副杆１２が開いた状態にして副杆フック２３を副杆ガイド１６に取付け、釣糸ガイド１８、２０に釣糸２８を通し、ヤエン１０を釣糸２８に沿って海中に誘導させる。
図５に示すように、水平に泳いでいるイカ２６に、斜め上から進行してきたヤエン１０の副杆１２の掛針１３が上からイカ２６に掛る。【００２１】  さらに図６に示すように、掛針１３に掛ったイカ２６が驚いて前方に逃げる事により、副杆前部１２ａが前方にスライドし、副杆フック２３が外れ、副杆１２が開放状態になり、副杆１２が元に戻ろうとする働きを利用して、図７に示すように、主杆１１の掛針１４と副杆１２の掛針１３でイカ２６を挟んで捕獲することを特徴とする。【００２２】  副杆フック２３はヤエン１０の進行方向と同じ方向に、副杆前部１２ａが引かれた時に外れるため、水面進入時の海水の抵抗では外れないので、作動部の動きを円滑にする事ができる。
また、イカ２６が驚いて前方に逃げる事により、副杆フック２３が外れる（通称、向こう合わせ）ので、釣人はヤエン１０をイカ２６まで送り込むだけでよく、熟練した技術を必要とせず、初心者でも釣ることができる。【００２３】  図８はヤエンの部品構成の一例を示す部品分解斜視図である。
副杆前部１２ａの基端部を上に曲げ、さらに横に曲げて、掛り調整止め具２２を取付けて副杆フック２３を設け、さらに上に曲げて副杆フックスライドガイド２４とする。
ヤエン１０を組み立て後、さらに副杆ガイド１６に貫通させ、副杆フックスライドガイド２４の末端を丸く曲げる事により、副杆ガイド１６からの脱落防止および、手で掴みやすくなるため、副杆フック２３のセットが簡単にでき、さらに副杆フック２３が外れ副杆１２が開放状態の時に、掛針１３の左右の振れを防ぐ事ができる。【００２４】  副杆後部１２ｂは基端部を略９０度に屈曲させて後支杆１９が構成されており、さらに  上端部に釣糸ガイド２０が形成されている。
釣糸ガイド２０は端部を渦巻状に巻回して形成されている。
図８では副杆１２と後支杆１９を一体構造にしているが、別々の構造にすることもできる。【００２５】  副杆ガイド支杆１５と前支杆１７は一体構造とする事もできる。
副杆ガイド支杆１５の上端部を円状に曲げて副杆ガイド１６とし、前支杆１７は端部を渦巻状に巻回して釣糸ガイド１８が形成されている。
また、副杆ガイド支杆１５、前支杆１７は前後が逆でもよく、別体構造でもよい。
また、前支杆１７、後支杆１９は、２本ではなく３本でもよい。【００２６】  主杆１１、副杆１２、掛針１３、１４支杆１５、１７、１９は、ステンレス鋼その他の合金等により構成することができる。掛針１３、１４、については、高炭素鋼等を使用することもできる。
主杆後部には、重錘２１が設けられている。この重錘２１は鉛等により構成することができる。
これらの結合は溶接やはんだ付け、さらに金属バンド等によって達成することができる。
伸縮機構は筒状の素材でよく、金属でなくてもかまわない。
特殊な素材や難しい加工を必要としないので、従来の技術で簡単に製作することができる。【００２７】  図９は副杆フック２３に掛り調整止め具２２を取付け、副杆フック２３と副杆ガイド１６がセットされた状態を示した要部拡大側面図である。
副杆フック２３に掛け調整止め具２２を取付ける事により、副杆ガイド１６の前方への脱落を防止する事が出来る。
掛け調整止め具２２は、副杆フック２３に穴の空いた物、たとえばビーズ玉等で、簡単に取付けることができる。【００２８】  図１０はこの発明の実施形態２の、前支杆１７の要部拡大斜視図である。
このように前支杆１７の上に副杆ガイド１６を取付けて一体とする事も出来る。【００２９】  図１１は伸縮機構２５の一例の要部拡大透視図である。
伸縮機構２５は副杆１２よりも内径が大きな筒状の素材に、副杆前部１２ａと副杆後部１２ｂを貫通させ、スムーズに動く状態で取付ける。【００３０】  図１１は伸縮機構２５の別形態である。
伸縮機構２５は副杆１２の途中をコイル状に巻く事でも、副杆１２を前後に伸縮させる事ができる。
【実施例】
【００３１】  図３は、本発明の実施形態に係るヤエン１０の副杆フック取付け状態の側面図である。
本体１０は掛針１４を有した主杆１１と掛針１３を有した副杆１２を、互いに針先を向かい合わせ、閉じるようにして後端側を結束し、後部に釣糸ガイド２０を有した後支杆１９を設け、後端側に重錘２１を設け、主杆１１には釣糸ガイド１８を有した前支杆１７と副杆ガイド１６を有する副杆ガイド支杆１５を設ける。
副杆１２は副杆前部１２ａと副杆後部１２ｂで構成する。
副杆前部１２ａと副杆後部１２ｂは伸縮機構２５で前後に円滑にスライドする。
副杆前部１２ａの基端部を上に曲げ、さらに横に曲げて、掛り調整止め具２２を取付けて副杆フック２３を設け、さらに上に曲げて副杆フックスライドガイド２４とする。
ヤエン１０を組み立て後、さらに副杆ガイド１６に貫通させ、副杆フックスライドガイド２４の末端を丸く曲げる。
【図面の簡単な説明】
【００３２】
【図１】本発明の実施形態に係るヤエンの副杆フック取付け状態の斜視図である。
【図２】本発明の実施形態に係るヤエンの副杆フック開放状態の斜視図である。
【図３】本発明の実施形態に係るヤエンの副杆フック取付け状態の側面図である。
【図４】本発明の実施形態に係るヤエンの副杆フック開放状態の側面図である。
【図５】本発明の実施形態に係るヤエンの副杆の掛針がイカに掛った状態の側面図である。
【図６】本発明の実施形態に係るヤエンの副杆フックが外れた状態の側面図である。
【図７】本発明の実施形態に係るヤエンのイカを挟んで捕えた状態の側面図である。
【図８】本発明の実施形態に係るヤエンの部品構成の一例を示す部品分解斜視図である。
【図９】本発明の実施形態に係るヤエンの要部拡大側面図である。
【図１０】本発明の第２の実施形態に係るヤエンの、前支杆の別形態を示す斜視図である。
【図１１】本発明の実施形態に係るヤエンの、伸縮機構の一例の要部拡大透視図である。
【図１２】本発明の実施形態に係るヤエンの、伸縮機構の別形態の要部拡大側面図である。
【図１３】従来のヤエンの構造図である。
【符号の説明】
【００３３】１      ヤエン
２      イカ
３      餌魚
４      釣糸
５      掛針
６      主杆
７      釣糸ガイド
８      釣糸ガイド
９      重錘
１０    ヤエン
１１    主杆
１２    副杆
１２ａ  副杆前部
１２ｂ  副杆後部
１３    掛針
１４    掛針
１５    副杆ガイド支杆
１６    副杆ガイド
１７    前支杆
１８    釣糸ガイド
１９    後支杆
２０    釣糸ガイド
２１    重錘
２２    掛り調整止め具
２３    副杆フック
２４    副杆フックスライドガイド
２５    伸縮機構
２６    イカ
２７    餌魚
２８    釣糸
【図１】
2007044019.tif 000003
【図２】
2007044019.tif 000004
【図３】
2007044019.tif 000005
【図４】
2007044019.tif 000006
【図５】
2007044019.tif 000007
【図６】
2007044019.tif 000008
【図７】
2007044019.tif 000009
【図８】
2007044019.tif 000010
【図９】
2007044019.tif 000011
【図１０】
2007044019.tif 000012
【図１１】
2007044019.tif 000013
【図１２】
2007044019.tif 000014
【図１３】
2007044019.tif 000015